(57)【要約】【課題】  従来の単色からなる文字やマークからなっていたものを、２層の重ねプリントして人目を引きつける縁取りのある文字やマークかるなる標章を有し、しかも水の抵抗を増すことの無い競技用水泳着を提供する。【解決手段】  伸縮性のある生地２からなる競技用水泳着１において、競技用水泳着１の胸部３の生地２の表面４に収縮方向の引っ張り力を掛けられて転写プリントされた着色顔料５を含有する伸縮性のラバー薄層６からなる文字又はマーク７のプリント面の上面にこれらの文字又はマーク７より数ミリ小さめの内側に収縮方向の引っ張り力を掛けて転写プリントされた他の色の着色顔料８を含有する伸縮性の塩化ビニール薄層９からなる相似形の文字又はマーク１０のプリント面を二重に積層して有することからなる胸部に縁取り１２を有する文字やマーク７の標章１３を付した競技用水泳着１である。【選択図】      図１
0003106546.tif 000002
【実用新案登録請求の範囲】
【請求項１】
伸縮性のある生地２からなる競技用水泳着１において、競技用水泳着１の胸部３の生地２の表面４に収縮方向の引っ張り力を掛けられて転写プリントされた着色顔料５を含有する伸縮性のラバー薄層６からなる文字又はマーク７のプリント面の上面にこれらの文字又はマーク７より数ミリ小さめの内側に収縮方向の引っ張り力を掛けられて転写プリントされた他の色の着色顔料８を含有する伸縮性の塩化ビニール薄層９からなる相似形の文字又はマーク１０のプリント面を二重に積層して有することを特徴とする胸部に縁取り１２を有する文字やマーク７の標章１３を付した競技用水泳着１。
【請求項２】
塩化ビニール薄層９からなる文字又はマーク１０は、金色箔粉からなるラメ入りの顔料１１を含有する塩化ビニールからなることを特徴とする請求項１に記載の胸部に縁取り１２を有する文字やマーク１０の標章１３を付した競技用水泳着１。
【考案の詳細な説明】
【技術分野】
【０００１】
この考案は水泳競技において競技者や選手が着用する水泳着に関し、特に競技者が所属する国名やチーム名や学校名あるいはその国やチームや学校のマークなどの標章を胸部に付した競技用水泳着に関する。
【背景技術】
【０００２】
競技用の水泳着はその競技者や選手が所属する国名やチーム名や学校名あるいはその国やチームや学校のマークなど標章のが胸部に付けられている。これらの水泳着に付けられた文字やマークは水泳競技場のプールサイドから明瞭に認識できる必要がある。一方、競技用水泳着は、例えば競泳者が最もその能力が発揮できるように、水との摩擦をできる限り少なくする改良が絶えず行われている。そのために水泳着の繊維素材やその生地の縫製方法に工夫が凝らされている。
【０００３】
このような、素材の改良の下で、競技者の所属を示す名称の文字やマークも、単にその所属を示すだけでなく、その存在を強くアピールするものとしてプールサイドで引き立つ色合いが求められている。しかも、水泳着にこれらの名称やマークを付けることで水泳着の能力が損なわれることの無いものが求められている。そこで、従来の競技用水泳着は、ポリウレタン弾性繊維などから編んだ生地からなり、身体に密着し、かつ、自由に運動できることを保証した生地で、水から受ける抵抗を最小に押さえている。
【０００４】
ところで、このようなポリウレタン弾性繊維などの伸縮性の生地に適合して同様に伸縮性の素材から文字やマークを描く必要がある。このために、従来は、素材としてラバーからなる塗料をプリント技術によりプリントして描かれている。しかも、この場合、これらの繊維から造られた競技用水泳着に文字やマークを描くことで、水から受ける抵抗が増えないようにする必要がある。しかし、ラバーによるためプリントした文字やマークはその厚みが厚いので、１色ならば水泳着として採用できるが、重ねプリントして多色にすることはそのラバー層の厚みがより増すこととなる。このために競技用水泳着としては水の抵抗が増えるので二重がさねの多色プリントは実施できなかった。このため色合いを単色とする文字やマークからなる地味なものであった。
【考案の開示】
【考案が解決しようとする課題】
【０００５】
本考案が解決しようとする課題は、従来の単色からなる文字やマークからなっていたものを、重ねプリントして人目を引きつける縁取りのある文字やマークを有し、しかも水の抵抗を増すことの無い競技用水泳着を提供することである。
【課題を解決するための手段】
【０００６】
課題を解決するための本考案の手段は、請求項１の考案では、伸縮性のある生地２からなる競技用水泳着１において、競技用水泳着１の胸部３の生地２の表面４に収縮方向の引っ張り力を掛けられて転写プリントされた着色顔料５を含有する伸縮性のラバー薄層６からなる文字又はマーク７のプリント面の上面にこれらの文字又はマーク７より数ミリ小さめの内側に収縮方向の引っ張り力を掛けられて転写プリントされた他の色の着色顔料８を含有する伸縮性の塩化ビニール薄層９からなる相似形の文字又はマーク１０のプリント面を二重に積層して有することを特徴とする胸部に縁取り１２を有する文字やマーク７の標章１３を付した競技用水泳着１である。
【０００７】
請求項２の考案では、塩化ビニール薄層９からなる文字又はマーク１０は、金色箔粉からなるラメ入りの顔料１１を含有する塩化ビニールからなることを特徴とする請求項１の手段の胸部に縁取り１２を有する文字やマーク１０の標章１３を付した競技用水泳着１である。
【０００８】
上記の手段の作用について記載すると、請求項１の手段では、転写プリントする際に競技用水泳着１の伸縮性、例えば１５０％の伸張性を有する生地２を先ず５０％伸張させた状態で張って保持し、その上に転写プリントする。従って、転写プリント後は本来のサイズより５０％だけ文字の部分が縮小した競技用水泳着１になっている。そこで、この競技用水泳着１を着用するとき標章の部分は最大で２００％まで伸張することとなる。
【０００９】
ところで、二重に積層した文字やマーク７の標章１３をラバー薄層６のみから形成したものでは、ラバー薄層６は本来の厚さを有し、その厚みを薄くするには限界がある。このために、ラバー薄層６のみを二重に重ねると厚みが増して水の抵抗を受けるものとなり、競技用水泳着１としては失格のものとなる。またラバー薄層６は二重にすると引張力が強いので延びにくくなり、伸張性が減少する。
【００１０】
そこで、考案者は鋭意考究したところ、厚みがラバー薄層６より薄く、ラバー薄層６に重ねて二重にしても厚さが僅か増すのみで、水から受ける抵抗が競技用水泳着１として影響のないものであり、かつ、ラバー薄層６に代えても二重にしたときの伸張性が減少することなく十分にある素材のラメ入りの塩化ビニール薄層９を見い出し、これを転写プリントの素材としてラバー薄層６に重ねて使用して本願の考案の競技用水泳着１を得たものである。
【００１１】
このように、１層目の着色顔料５を含有する伸縮性のラバー薄層６の厚みに比して２層目の他の色の着色顔料８を含有する伸縮性の塩化ビニール薄層９の厚みは極めて薄いので、この考案の胸部に縁取り１２を有する文字やマーク７をプリントした競技用水泳着１は、二重層のプリント面から形成されているが、その厚みはほとんど従来の一重のみのラバー薄層６からなるプリント面の厚さに比してそれほど増加しない。そこで、この競技用水泳着１を着て泳いでも水の抵抗は増えることなく、水泳の記録を低下させるような問題は生じない。しかも、この塩化ビニール薄層９もラバー薄層６に劣らす伸縮性は良好であるので、二重層としても水泳の記録に影響を与えることは無く、かつ、容易に剥離することがないものである。
【００１２】
請求項２の手段では、文字やマーク１０の部分の周囲は、例えば白色で縁取り１２とされ、文字やマーク１０の部分は金色箔粉からなるラメ入りの顔料１１を含有する塩化ビニール薄層９から転写プリントにより形成されているので、その描かれた文字やマーク１０は、従来のもののカラー単色のみのものでは得られない立体感を持って浮き出るように表現されるので、競技用プールサイドの見る人の視線をひときわ引きつけるものとなり、しかも文字やマーク１０の部分の金色が従来の縁無しのものに比して一層に引き立って見える。
【００１３】
もちろん、本考案は縁取り１２の部分用の１層目の転写プリントとして使用する着色顔料５として金色箔粉を含有する顔料のラバー薄層６を使用し、２層目の部分を他の色の顔料を含有する塩化ビニール薄層９を使用することができることはいうまでもない。
【考案の効果】
【００１４】
本考案の競技用水泳着は、従来に無い縁取りのある転写文字やマークからなる標章の付した競技用水泳着で観客の注目を引き、しかも厚みが僅かしか増えないので水から受ける抵抗が極めて少なく、この結果、競技記録に影響を受けることなく、しかも伸張性が十分に保たれ、耐久性にも優れているなど、本考案は従来に無い優れた効果を奏するものである。
【考案を実施するための最良の形態】
【００１５】
図面を参照して本考案の最良の実施の形態について説明する。図１は本考案による競技用水泳着１を示す図である。図２は本考案の競技用水泳着１の胸部３の標章１３の部分を拡大して示す図である。図３は本考案のにおける標章１３の文字の部分の拡大図を示し、（ａ）は１層目のラバー薄層６を示し、（ｂ）はさらに２層目の塩化ビニール薄層９を重ねた図である。
【００１６】
本考案の競技用水泳着１は伸縮性のある生地２であるポリウレタン繊維、いわゆるスパンテックス（商標名）などの繊維、から形成されている。特に、この考案に使用するポリウレタン繊維からなる生地２は１５０％にもなる伸縮性を有するものである。このポリウレタン繊維の生地２からなる競技用水泳着１は、その胸部３の生地２の表面４に着色顔料５を含有する伸縮性のラバー薄層６からなる文字又はマーク７が転写プリントにより形成されており、さらにこのラバー薄層６のプリント面上に、その文字又はマーク７の大きさより数ミリ小さい他の色の着色顔料８を含有する伸縮性の塩化ビニール薄層９からなる相似形の文字又はマーク１０が転写プリントにより形プリント面を二重に積層して成されて、水泳着の胸部面に縁取り１２を有する文字やマーク１０からなる標章１３を付した競技用水泳着１とである。
【００１７】
上記の転写プリントする場合に、特に競技用水泳着１の伸縮性のあるポリウレタン繊維の生地２をおおよそ５０％伸張して張って保持し、この５０％伸張した生地２に転写プリントにより、１層目の伸縮性のラバー薄層６からなる文字又はマーク７をプリントし、さらに、この１層目をプリントした生地２を同様におおよそ５０％伸張して張って保持し、この５０％伸張した生地２に転写プリントすることにより、２層目の伸縮性の塩化ビニール薄層９からなるやや小さめの文字又はマーク１０を１層目の文字の中にプリントする。したがって、得られた縁取り１２を有する文字又はマーク１０をプリントした生地２は元の大きさに収縮しているので、得られた競技用水泳着１の縁取り１２を有する文字又はマークからなる標章１３はプリント製造時に略５０％収縮している。
【００１８】
他の実施の形態では、上記の手段の胸部に縁取り１２を有する文字やマーク７の標章１３を付した競技用水泳着１において、１層目は転写プリントするラバー薄層６からなる文字又はマーク７を着色顔料５からなる通常のものとし、２層目に重ねる塩化ビニール薄層９に着色顔料８として金色箔粉を含むラメ入りの顔料１１を含有させるものである。この形態の競技用水泳着１にプリントされた標章１３は文字やマーク１０の周囲の部分が例えば白色の縁取り１２からなり、その中の文字やマーク１０自体が金色から形成される結果、これらからなる標章１３は立体的に浮き上がって見え、かつ、縁取り１２が白色であるので一層に浮き上がって見え、さらに文字やマーク１０の本体が金色であるので非常に華やかに栄えるものとなる。
【００１９】
もちろん請求項１に記載の手段において、例えば、生地２の基色を赤色とし、縁取り１２の部分をラメ入りの顔料１１を用いて金色とし、文字やマーク１０自体を緑色とするなどの場合においても、これらの２層に重ねた文字やマーク１０からなる標章１３は十分に立体的に表出され、見るものに強い印象を与えるものである。
【００２０】
もちろん本考案の上記の競技用水泳着１において、転写プリントされ２層に重ねた文字やマーク１０からなる標章１３の２層の部分の厚みは、２層目の塩化ビニール薄層９の厚みがラバー薄層に比して無視できる程度に十分に薄いので、従来の１層からなるラバー薄層のみのプリントのものと略変わらない厚さであり、水の抵抗は受けなかった。
【図面の簡単な説明】
【００２１】
【図１】本考案による競技用水泳着１を示す図である。
【図２】本考案の競技用水泳着１の胸部の部分を拡大して示す図である。
【図３】本考案のにおける標章１３の文字の部分の拡大図を示し、（ａ）は１層目のラバー薄層６を示し、（ｂ）はさらに２層目の塩化ビニール薄層９を重ねた図である。
【符号の説明】
【００２２】
１  競技用水泳着
２  生地
３  胸部
４  表面
５  着色顔料
６  ラバー薄層
７  文字又はマーク
８  着色顔料
９  塩化ビニール薄層
１０  文字又はマーク
１１  ラメ入りの顔料
１２  縁取り
１３  標章
【図１】
0003106546.tif 000003
【図２】
0003106546.tif 000004
【図３】
0003106546.tif 000005
【手続補正書】
【提出日】平成16年8月6日(2004.8.6)
【手続補正１】
【補正対象書類名】図面
【補正対象項目名】全図
【補正方法】変更
【補正の内容】
【図１】
0003106546.tif 000006
【図２】
0003106546.tif 000007
【図３】
0003106546.tif 000008